(57)【要約】【課題】給水設備のない場所においても使用することができるとともに、貯水タンクへの外部からの水の補給を可及的に減らすことができ、しかも貯水タンク内の水を有効に活用しうるようにした仮設トイレを提供する。【解決手段】汚物処理装置２内の空気を吸引して、その空気中に含まれる湿気を除湿水として除去し、除湿水を排水口より、また除湿された乾燥空気を排気口より排出するようにした除湿機と、除湿機における排水口に排水管をもって接続され、除湿水を貯留する貯水タンク４４と、貯水タンク４４に貯留された除湿水を水洗式の便器４に給水する足踏み式のポンプ５０と、除湿機における排気口と汚物処理装置２における空気取入口とに接続され、除湿機の排気口から排出される乾燥空気を汚物処理装置２内に再循環させる再循環管とを備えるものとする。【選択図】  図１
2012017624.tif 000002
【特許請求の範囲】
【請求項１】
攪拌翼を作動させることにより、汚物を、分解促進物質とともに攪拌して、分解処理するようにした汚物処理装置の上方に、便器を含むトイレユニットを取り付けた仮設トイレにおいて、
前記汚物処理装置内の空気を吸引して、その空気中に含まれる湿気を除湿水として除去し、前記除湿水を排水口より、また除湿された乾燥空気を排気口より排出するようにした除湿機と、
前記除湿機における排水口に排水管をもって接続され、除湿水を貯留する貯水タンクと、
この貯水タンクに貯留された除湿水を水使用装置に給水する給水手段と、
前記除湿機における排気口と汚物処理装置における空気取入口とに接続され、除湿機の排気口から排出される乾燥空気を汚物処理装置内に再循環させる再循環管
とを備えることを特徴とする仮設トイレ。
【請求項２】
給水手段を、除湿水を便器に洗浄水として供給するポンプとした請求項１記載の仮設トイレ。
【請求項３】
ポンプを、足踏み式のものとした請求項２記載の仮設トイレ。
【請求項４】
汚物処理装置に、その内部の湿度または分解促進物質の含水率を検出する湿度または水分検出手段を設け、この湿度または水分検出手段が、予め定めた設定湿度または設定含水率以下となったことを検出したとき、貯水タンク内の水を、給水手段により、汚物処理装置内に供給するようにした請求項１〜３のいずれかに記載の仮設トイレ。
【請求項５】
トイレユニットが、小便器と大便器とを備えるものとし、前記小便器に貯尿タンクを接続し、貯尿タンク内の尿を、電磁弁を介して汚物処理装置内に導くようにし、前記貯尿タンクに、貯尿タンク内に尿が貯留されていることを検出する貯尿センサを設け、この貯尿センサが貯尿を検出しており、かつ湿度または水分検出手段が、予め定めた設定湿度または設定含水率以下となったことを検出したとき、汚物処理装置内への貯水タンク内の水の供給に先だって、前記電磁弁を開いて、貯尿タンク内の尿を、電磁弁を介して汚物処理装置内に供給するようにした請求項４記載の仮設トイレ。
【請求項６】
汚物処理装置を、回転軸に設けた攪拌翼を回転させることにより、汚物を、分解促進物質とともに攪拌して、分解処理するようにした汚物処理槽と、該汚物処理槽が着脱自在に設けられ、かつ前記回転軸を回転させる駆動手段が設けられたベースと、前記駆動手段の出力部材に設けられ、かつ前記汚物処理槽をベースにおける正規の装着位置に装着したとき、前記回転軸に相対回転不能として係合するようにしたカップリングとを備えるものとした請求項１〜５のいずれかに記載の仮設トイレ。
【発明の詳細な説明】
【技術分野】
【０００１】
本発明は、仮設トイレ、特に、汚物処理装置用の除湿機を備える仮設トイレに関する。
【背景技術】
【０００２】
従来、土木作業現場や災害地等において、一時的に設置される仮設トイレには、汚物と分解促進物質とを攪拌するようにした汚物処理装置を設けたものがある（例えば特許文献１参照）。
この従来の仮設トイレは、汚物処理装置内の分解促進物質である微生物の分解浄化作用を有効に発揮できるようにするため、微生物棲息母材の含水率を水分センサにより検出し、含水率が高い場合は、除湿器により除湿し、含水率が低い場合は、給水タンク内の水を、処理槽内に給水するようにしてある。
【先行技術文献】
【特許文献】
【０００３】
【特許文献１】特開２０１０−５７５５３７
【発明の概要】
【発明が解決しようとする課題】
【０００４】
しかし、仮設トイレは、建築現場や山岳地等の給水設備のない場所に設置されることが多く、そのような場合には、給水タンクに頻繁に水を補給することは困難である。
【０００５】
本発明は、従来の技術が有する上記のような問題点に鑑み、給水設備のない場所においても使用することができるとともに、貯水タンクへの外部からの水の補給を可及的に減らすことができ、しかも貯水タンク内の水を有効に活用しうるようにした仮設トイレを提供することを目的としている。
【課題を解決するための手段】
【０００６】
本発明によると、上記課題は、次のようにして解決される。
(１)  攪拌翼を作動させることにより、汚物を、分解促進物質とともに攪拌して、分解処理するようにした汚物処理装置の上方に、便器を含むトイレユニットを取り付けた仮設トイレにおいて、前記汚物処理装置内の空気を吸引して、その空気中に含まれる湿気を除湿水として除去し、前記除湿水を排水口より、また除湿された乾燥空気を排気口より排出するようにした除湿機と、前記除湿機における排水口に排水管をもって接続され、除湿水を貯留する貯水タンクと、この貯水タンクに貯留された除湿水を水使用装置に給水する給水手段と、前記除湿機における排気口と汚物処理装置における空気取入口とに接続され、除湿機の排気口から排出される乾燥空気を汚物処理装置内に再循環させる再循環管とを備えるものとする。
【０００７】
このような構成とすると、除湿機から排出される除湿水を貯水タンクに貯留して、この水を有効に活用しうるようにしてあるので、給水設備のない場所においても仮設トイレを設置することができるとともに、貯水タンクへの外部からの水の補給を可及的に減らすことができる。
しかも、除湿機から排出される乾燥空気を汚物処理装置内に再循環させるようにしてあるので、汚物処理装置内における汚物の分解処理を促進させることができる。
【０００８】
(２)  上記(１)項において、給水手段を、除湿水を便器に洗浄水として供給するポンプとする。
【０００９】
このような構成とすると、便器を水洗式とすることができるだけでなく、貯水タンクに貯留した除湿水を便器の洗浄水として使用できるので、水の有効利用を図ることができる。
しかも、汚物とともに汚物処理装置に供給された便器の洗浄水は、汚物処理装置内における汚物の分解処理に寄与することができ、さらに、そこから蒸発した水分は、除湿機から除湿水として再度貯水タンクに貯留され、再循環を繰り返すことができ、水の有効利用が図れる。
【００１０】
(３)  上記(２)項において、ポンプを、足踏み式のものとする。
【００１１】
このような構成とすると、人力により、便器を少量の水で洗浄することができる。
【００１２】
(４)  上記(１)〜(３)項のいずれかにおいて、汚物処理装置に、その内部の湿度または分解促進物質の含水率を検出する湿度または水分検出手段を設け、この湿度または水分検出手段が、予め定めた設定湿度または設定含水率以下となったとき、貯水タンク内の水を、給水手段により、汚物処理装置内に供給するようにする。
【００１３】
このような構成とすると、汚物処理装置内の分解促進物質の含水率を一定に保つことができ、汚物を効率よく分解処理することができる。
因みに、分解促進物質の含水率が高すぎても、低すぎても、分解処理能力が低下することは、上記特許文献１に記載されているとおりである。
【００１４】
(５)  上記(４)項において、トイレユニットが、小便器と大便器とを備えるものとし、前記小便器に貯尿タンクを接続し、貯尿タンク内の尿を、電磁弁を介して汚物処理装置内に導くようにし、前記貯尿タンクに、貯尿タンク内に尿が貯留されていることを検出する貯尿センサを設け、この貯尿センサが貯尿を検出しており、かつ湿度または水分検出手段が、予め定めた設定湿度または設定含水率以下となったことを検出したとき、汚物処理装置内への貯水タンク内の水の供給に先だって、前記電磁弁を開いて、貯尿タンク内の尿を、電磁弁を介して汚物処理装置内に供給するようにする。
【００１５】
このような構成とすると、尿をも、水分として汚物処理装置内における汚物の分解処理に有効に活用することができ、貯水タンクに貯留した水の使用を低減することができる。
仮設トイレから外部に自然放出する水分量と、汚物処理装置に供給される屎尿の水分量とがバランスすると、原理的には、貯水タンクへの外部からの水の補給は不要となる。
【００１６】
(６)  上記(１)〜(５)項のいずれかにおいて、汚物処理装置を、回転軸に設けた攪拌翼を回転させることにより、汚物を、分解促進物質とともに攪拌して、分解処理するようにした汚物処理槽と、該汚物処理槽が着脱自在に設けられ、かつ前記回転軸を回転させる駆動手段が設けられたベースと、前記駆動手段の出力部材に設けられ、かつ前記汚物処理槽をベースにおける正規の装着位置に装着したとき、前記回転軸に相対回転不能として係合するようにしたカップリングとを備えるものとする。
【００１７】
このような構成とすると、駆動手段をベースに設置したままで、汚物処理槽のみを、駆動手段から切り離して、ベースから取り出し、新しい分解促進物質を収容した別の汚物処理槽と交換したり、メンテナンス作業を行ったりすることができる。
また、汚物処理槽をベースにおける正規の装着位置に装着するだけで、汚物処理槽の回転軸が、カップリングに相対回転不能として係合し、駆動手段と連係されるので、回転軸と駆動手段の出力部材とを、ボルト・ナット等をもって連結する必要がなく、作業効率がよい。
【発明の効果】
【００１８】
本発明によると、給水設備のない場所においても使用することができるとともに、貯水タンクへの外部からの水の補給を可及的に減らすことができ、しかも貯水タンク内の水を有効に活用しうるようにした仮設トイレを提供することができる。
【図面の簡単な説明】
【００１９】
【図１】本発明の仮設トイレの第１の実施形態を斜め前方より見た斜視図である。
【図２】汚物処理装置より汚物処理槽を前方に引き出し、かつ除湿機を情報に分離して示す斜視図である。
【図３】汚物処理装置の平面図である。
【図４】図３のIV−IV線断面図である。
【図５】図３のV−V線断面図である。
【図６】図３のVI−VI線断面図である。
【図７】汚物処理装置に、汚物処理槽搬送車を接続したときの斜視図である。
【図８】本発明の仮設トイレの第２の実施形態における制御系統を模式的に示す系統図である。
【図９】図８に示す制御系統の作用を示すフローチャートである。
【発明を実施するための形態】
【００２０】
次に、本発明の第１の実施形態を、図１〜図７を参照して説明する。
図１に示すように、この仮設トイレ１は、汚物処理装置２上に、床板３、水洗式の大便器とした便器４、前面に扉５を備える外装体６等からなるトイレユニット７を装着したものよりなっている。
なお、トイレユニット７は、本発明には直接関係しないので、それについての詳細な説明は省略する。
【００２１】
図１〜図６に示すように、汚物処理装置２は、底板８と、両側板９、９と、後面板１０とを有し、上面と前面とが開放するベースである筐体１１を備えている。
【００２２】
底板８の前端両側部には、図示しないフォークリフトのフォークを挿入しうる受孔８ａ、８ａが設けられている。
筐体１１内における後面板１０より若干前方には、左右方向を向く仕切板１２が設けられている。
【００２３】
図１に示すように、筐体１１の前面には、ステップ１３を備える前面板１４が、その両側部を複数のボルト１５をもって両側板９、９の前端面に固着することにより、着脱可能として装着されている。この前面板１４は、後述する汚物処理槽が前方に移動するのを阻止する役目をしている。
【００２４】
図２に示すように、筐体１１における仕切板１２より前方において、両側板９、９の内側面上部には、前後方向を向く左右１対のローラーコンベヤ１６、１６が設けられている。各ローラーコンベヤ１６は、各側板９の内面に固着した前後方向を向く上向コ字状の枠材１６ａ内に、複数のローラ１６ｂを、その一部が上方に突出するようにして、前後に並べて、左右方向を向く軸１６ｃをもって枢支したものよりなっている。
【００２５】
筐体１１における仕切板１２より前方の画室内には、汚物処理槽１７が、左右のローラーコンベヤ１６、１６に沿って、前方に引き出し可能として、着脱自在に設けられている。
汚物処理槽１７は、前後方向を向く２個の上向半円筒体を左右に接合した形状とした正面視上向Ｂ型の底板１８と、両側板１９、１９と、前面板２０と、後面板２１とからなる、上面が開放した箱状をなし、両側板１９、１９の上端に設けた外向鍔部２２、２２を、左右のローラーコンベヤ１６、１６上に載置することにより、前後方向に軽力で移動させうるようになっている。
【００２６】
汚物処理槽１７内には、前後方向を向く左右１対の回転軸２３、２３が、前面板２０と後面板２１とに設けた軸受装置２４をもって、汚物処理槽１７より前後対称をなして前後に突出するようにして、回転自在に設けられている。
【００２７】
各回転軸２３は、六角軸その他の非円形断面のもので、その両端に尖先部２３ａが形成され、かつ軸受装置２４を挿通するべき部分に、小径軸部(図示略)が形成されている。
【００２８】
各回転軸２３は、前後部の軸受装置２４、２４とともに、汚物処理槽１７から上方に取り外すことができるようになっている。そのための具体的な構造に関しては、本発明と直接関係しないため、図示および詳細な説明は省略する。
【００２９】
図２〜図４に示すように、汚物処理槽１７内における各回転軸２３には、複数の攪拌翼２５が、回転軸２３の軸線方向に適宜の間隔を置いて取り付けられており、左右の回転軸２３、２３を、後述する駆動手段により、互いに逆方向に回転させることによって、各回転軸２３に取り付けられた攪拌翼２５により、汚物処理槽１７内に収容した分解促進物質２６と、便器４より落下した汚物(図示略)とを攪拌して、汚物を分解処理しうるようになっている。
【００３０】
分解促進物質２６としては、微生物が生息するおが屑、もみ殻、杉チップ等のいわゆるバイオチップを使用するのが好ましい。
【００３１】
筐体１１における後面板１０と仕切板１２と両側板９、９とによって囲まれた部屋の底板８上には、駆動手段としての左右１対のギヤードモータ２７、２７が、左右の回転軸２３、２３の間隔と等しい間隔をもって設けられている。
【００３２】
各ギヤードモータ２７の前方を向く出力軸２８の前端部には、トーションダンパ２９を介して、カップリング３０(図２参照)が接続されている。
トーションダンパ２９としては、入力軸２９ａと出力軸２９ｂとが、タイヤ状の弾性体２９ｃを介して接続され、出力軸２９ｂが入力軸２９ａに対して、所要量だけ偏心および偏角しうるようにした公知のものを用いるのが好ましい。
【００３３】
カップリング３０は、トーションダンパ２９の出力軸２９ｂと一体的に形成されており、この例では、回転軸２３のいずれの端部もが相対回転不能として嵌合しうるようにした公知の十二角ソケットとしてあるが、回転軸２３の端部と補形をなす六角孔、またはその他の非円形孔を設けたものとすることもできる。
【００３４】
左右のトーションダンパ２９、２９およびカップリング３０、３０は、仕切板１２に設けた左右１対の通孔３１、３１より前方に臨むように、または通孔３１、３１を通って仕切板１２より前方に突出するように配設され、汚物処理槽１７を、図３および図４に示すような筐体１１における正規の装着位置に装着したとき、左右の回転軸２３、２３の後端部が、相対回転不能として嵌合するようにしてある。
また、左右の回転軸２３、２３は、汚物処理槽１７の前後の端部より同様に突出させてあるので、汚物処理槽１７の前後の向きを反転させて筐体１１の正規位置に装着したときにも、左右の回転軸２３、２３の端部は、カップリング３０、３０に嵌合することができる。
【００３５】
筐体１１における底板８の上面中央部には、汚物処理槽１７を底面より加温する前後方向を向くヒータ３２が設けられている。
また、仕切板１２の上部には、複数の排気孔３３が、左右方向に並べて設けられ、仕切板１２の下部中央には、１個の空気取入口３４が設けられている。
【００３６】
図４〜図６に示すように、筐体１１における後面板１０と仕切板１２と両側板９、９とによって囲まれた部屋の上部には、上面が排気孔３３より下位となるようにした補助底板３５が、後面板１０と仕切板１２との対向面に設けた複数のブラケット３６上に載置されて支持されている。
【００３７】
後面板１０と仕切板１２と両側板９、９との上端には、下面のみが開口する補助室カバー３７が着脱可能として設けられ、この補助室カバー３７と後面板１０と仕切板１２と両側板９、９と補助底板３５とにより、密閉空間(排気孔３３を除く)の補助室３８が形成されている。
【００３８】
補助室３８内の補助底板３５上には、除湿機３９が設けられている。
図２、および図４〜図６に示すように、除湿機３９は、前後両側面に吸気口４０(後面のものは図示略)を備え、この吸気口４０より吸気した空気中に含まれる湿気を除湿水として除去し、この除湿水を、前面下部に設けた排水口４１より排出し、また、除湿された乾燥空気を、一側面上部に設けた排気口４２より排出するようになっている。
【００３９】
除湿機３９の排水口４１に接続した可撓性の排水管４３は、補助室カバー３７の側面下縁に設けた切欠き３７ａを通して、外部に引き出され、その先端部は、筐体１１の側方の地面等に載置した貯水タンク４４の給水口４４ａに接続されている。
【００４０】
除湿機３９の排気口４２に接続した可撓性の排気ダクト４５は、排気口４２から真下に向かい、その下端は、補助底板３５の一側部に設けた接続口４６に接続されている。
接続口４６は、補助底板３５の下面に設けた左右方向を向く送気ダクト４７の一側端部に連通されている。
【００４１】
送気ダクト４７における補助底板３５の中央部側の端部の底面には、下方を向く可撓性ダクト４８の上端が接続され、この可撓性ダクト４８の下端部は、前方に屈曲させられて、仕切板１２の空気取入口３４に後方より接続されている。
【００４２】
この排気ダクト４５、送気ダクト４７、および可撓性ダクト４８により、除湿機３９の排気口４２から排出される乾燥空気を汚物処理装置２内に再循環させる再循環管４９が形成されている。
【００４３】
図１に示すように、トイレユニット７内における便器４の横の床板３上には、貯水タンク４４に貯留された除湿水を、水使用装置としての水洗式便器４に給水する、給水手段としての足踏み式のポンプ５０が設けられている。
【００４４】
このポンプ５０は、吸込管５１をもって貯水タンク４４の注水口４４ｂに接続され、かつ送水管５２をもって便器４に接続され、本体５３より前方に突出するペダル５４を踏み込むことにより、貯水タンク４４に貯留された除湿水を、便器４内に噴出させて、便器４内を洗浄しうるようになっている。
【００４５】
除湿機３９の排気口４２から、再循環管４９を通して、仕切板１２の空気取入口３４より汚物処理装置２内に送給された乾燥空気は、図３および図４に矢印で示すように、ヒータ３２部分に送られ、ヒータ３２によって熱せられた後、汚物処理槽１７の前面板２０と、筐体１１の前面を塞ぐ前面板１４との間の空間を通って上昇し、さらに、床板３の下面に沿って後方に反転し、汚物処理槽１７内の加温された分解促進物質２６から発生する湿気とともに、汚物処理槽１７の後方の排気孔３３から、補助室３８内に進入し、ここで除湿機３９の吸気口４０より除湿機３９内に吸引される。
【００４６】
除湿機３９の吸気口４０より吸引された空気は、除湿機３９内において除湿され、その除湿水は、排水口４１より排水管４３を通って、貯水タンク４４に貯留される。
【００４７】
除湿機３９の排気口４２より排出される乾燥空気は、上記のように、再循環管４９を通して、仕切板１２の空気取入口３４より汚物処理装置２内に送給され、上記経路を繰り返し循環させられる。
【００４８】
貯水タンク４４に貯留された除湿水は、トイレ使用者が用便後にポンプ５０のペダル５４を踏み込むことにより、吸込管５１により吸い上げられ、かつ送水管５２より便器４に圧送されて、便器４内を洗浄し、洗浄後、汚物とともに汚物処理槽１７内に落下する。
【００４９】
汚物処理槽１７内においは、分解促進物質２６と汚物と便器４の洗浄水とが、ヒータ３２により加温された環境下で、攪拌翼２５により緩速で攪拌されることにより、汚物が効果的に分解される。
【００５０】
このように、除湿機３９から排出される除湿水を貯水タンク４４に貯留して、この水を有効に活用しうるようにしてあるので、給水設備のない場所においても仮設トイレ１を設置することができるとともに、貯水タンク４４への外部からの水の補給を可及的に減らすことができる。
【００５１】
しかも、除湿機３９から排出される乾燥空気を汚物処理装置２内に再循環させるようにしてあるので、汚物処理装置２内における汚物の分解処理を促進させることができる。
【００５２】
この実施形態においては、給水手段を、除湿水を便器４に洗浄水として供給する足踏み式のポンプ５０としてあるので、便器４を水洗式とすることができるだけでなく、貯水タンク４４に貯留した除湿水を便器４の洗浄水として使用でき、水の有効利用を図ることができる。
【００５３】
しかも、汚物とともに汚物処理装置２に供給された便器４の洗浄水は、汚物処理装置２内における汚物の分解処理に寄与することができ、さらに、そこから蒸発した水分は、除湿機３９から除湿水として再度貯水タンク４４に貯留され、再循環を繰り返すことができ、水の有効利用が図れる。
【００５４】
一定の使用期間経過後、または処理限界を超えて使用したとき等には、図１に示すボルト１５を外して、前面板１４を、ステップ１３とともに、筐体１１から外し、それによって開いた筐体１１の前端開口部に、図７に示す荷車状の汚物処理槽搬送車４５を接続し、その状態で、汚物処理槽１７を前方に引き出すのと同時に、汚物処理槽搬送車５５に移載し、その後、汚物処理槽搬送車５５を、予め待機しておいたトラック等の場所まで移動させてトラック等に移載する。
【００５５】
その後、予め用意しておいた、新しい分解促進物質２６を収容した交換用の汚物処理槽１７を、上記の、または上記のものとは別の汚物処理槽搬送車５５に載置して、空になっている上記汚物処理装置２まで運び、その筐体１１の前端開口部に汚物処理槽搬送車５５を、上記と同様に接続し、交換用の汚物処理槽１７を、汚物処理槽搬送車５５から筐体１１側へ移載する。
【００５６】
交換用の汚物処理槽１７が、正規の装着位置まで後方に押し込まれる直前に、各回転軸２３の後端の尖先部２３ａがカップリング３０に進入し、尖先部２３ａの自動求心作用により、各回転軸２３の後端部は、カップリング３０と相対回転不能として、確実に接続される。
このときの各回転軸２３の後端部とカップリング３０とのわずかな偏心や偏角は、トーションダンパ２９により吸収されるので、回転軸２３の後端部とカップリング３０との接続は、円滑かつ迅速に行われる。
【００５７】
その後、ステップ１３とともに、前面板１４をボルト１５によって筐体１１の前面に固定すれば、メンテナンス作業が終了する。
このように、前面板１４を外して、使用済みの汚物処理槽１７と交換用の汚物処理槽１７とを入れ替えるだけで、メンテナンス作業を簡単かつ迅速に行うことができるので、辺境地や山間部等に設置した仮設トイレ等に好適である。
【００５８】
使用済みの汚物処理槽１７は、トラック等により工場等に持ち帰り、各回転軸２３を、攪拌翼２５や軸受装置２４等とともに、汚物処理槽１７から外し、その後に汚物処理槽１７内に残った汚物と分解促進物質２６とを、簡単に取り出すことができる。
また、このような作業を、現場において行う必要がないので、メンテナンス作業が著しく軽減される。
【００５９】
汚物処理槽搬送車５５は、本発明には直接関係しないので、その大まかな構成のみを簡単に説明すると、この汚物処理槽搬送車５５は、図７に示すように、左右１対の車輪５６、５６を有する台車５７と、台車５７を汚物処理装置２の前方における正規の移載位置に位置させたとき、汚物処理装置２における左右のローラーコンベヤ１６、１６の前端より一直線状に整合するようにして、台車５７に設けられた左右１対のローラーコンベヤ５８、５８と、ローラーコンベヤ５８、５８の後端部の高さが、ローラーコンベヤ１６、１６の前端部の高さと一致するべく、台車５７の後端部の高さを調整する高さ調整手段５９と、台車５７の後端部に設けられ、筐体１１の左右の側板９、９のいずれか一方の前端部側面に左右方向より当接することにより、ローラーコンベヤ５８、５８の後端部が、ローラーコンベヤ１６、１６の前端部と左右方向に整合するべく、台車５７の後端部を、筐体１１の前端部に対して左右方向に位置決めする位置決め手段５０とを備えている。
【００６０】
図８は、本発明の仮設トイレの第２の実施形態における制御系統を模式的に示す系統図である。なお、図８に示すもの以外の構成は、第１の実施形態と同一であり、その同一の構成部材については、第１の実施形態におけるのと同一の符号を付して説明する。
【００６１】
この仮設トイレ１においては、トイレユニット７内に、便器４の他に、小便器６１を設け、この小便器６１に貯尿タンク６２を接続し、貯尿タンク６２内の尿を、電磁弁６３を設けた給液管６４を介して汚物処理槽１７内に導くようにし、また、貯尿タンク６２内に、貯尿タンク６２内に尿が貯留されていることを検出する貯尿センサ６５を設けてある。
【００６２】
汚物処理槽１７には、その内部の分解促進物質２６の含水率を検出する水分センサ(水分検出手段)６６が設けられている。この水分センサ６６は、例えば、上記特許文献１に記載されているものと同一のものとすることができる。
この水分センサ６６に代えて、汚物処理装置２内の湿度を検出する湿度計(湿度検出手段)(図示略)を用いてもよい。
【００６３】
貯水タンク４４とポンプ５０とを結ぶ吸込管５１には、貯水タンク４４内の水を、汚物処理槽１７に供給する送水管６７が分岐接続されており、この送水管６７には、電動ポンプ６８が設けられている。
【００６４】
ＣＰＵ等により形成された制御装置６９の入力側には、上記貯尿センサ６５および水分センサ６６が接続され、同じく出力側には、電磁弁６３および電動ポンプ６８が接続されている。
【００６５】
次に、制御装置６９と制御系統全体の作用を、図９に示すフローチャートに基づいて説明する。なお、ギヤードモータ２７、除湿機３９その他の、図８に示されていない電気設備の制御に関しては、詳細な説明は省略する。
【００６６】
水分センサ６６が、汚物処理槽１７内の分解促進物質２６の含水率が予め定めた下限値以下になったことを検出し(ステップS1)、そのとき、貯尿センサ６５が、貯尿タンク６２内の液位が予め定めた下限値以上であること、すなわち、貯尿タンク６２内に尿が一定量以上貯留されていることを検出していると(ステップS2)、制御装置６９内のタイマ(図示略)が計時をスタートする(ステップS3)と同時に、電磁弁６３が開弁かれ(ステップS4)、貯尿タンク６２内の尿は、給液管６４を通って、汚物処理槽１７に内に供給され、汚物処理槽１７内に水分が補給される。
【００６７】
タイマが計時をスタートしてから、予め定めた第１設定時間ｔ１が経過すると(ステップS5)、電磁弁６３が閉弁され(ステップS6)、汚物処理槽１７内への尿の供給は停止される。
【００６８】
第１設定時間ｔ１は、１回当りに汚物処理槽１７内に供給され尿の最適供給量が、給液管６４を通過する時間に基づいて定めるのが好ましい。
【００６９】
第１設定時間ｔ１の経過後、第２設定時間ｔ２が経過する(ステップS7)までは、電磁弁６３の開弁作動および電動ポンプ６８の作動は停止させられ(ステップS8)、第２設定時間ｔ２が経過すると(ステップS7)、水分センサ６６による上記ステップS1からの再度の作動が可能となる。
【００７０】
第２設定時間ｔ２は、汚物処理槽１７内への１回分の尿または後述する貯水タンク４４内の水の供給後に、汚物処理槽１７内の分解促進物質２６の含水率が適正値に戻るまでに必要な時間に基づいて定めるのがよい。
【００７１】
ステップS5において、タイマが第１設定時間ｔ１を計時する以前に、貯尿センサ６５が、貯尿タンク６２内の液位が予め定めた下限値より小であること、すなわち、貯尿タンク６２内に尿が一定量以上貯留されていないことを検出すると(ステップS9)、電磁弁６３は閉弁され(ステップS10)、汚物処理槽１７内への尿の供給は停止され、それと同時に、電動ポンプ６８は作動させられて(ステップS11)、貯水タンク４４内の水が、吸込管５１および送水管６７を通って、汚物処理槽１７内へ供給される。
【００７２】
このときの電動ポンプ６８による単位時間当たりの水の供給量は、電磁弁６３の開弁時における給液管６４からの尿の供給量に近づけておくのが好ましい。
【００７３】
その後、タイマが第１設定時間ｔ１を計時すると(ステップS12)、電動ポンプ６８の作動は停止させられ(ステップS13)、汚物処理槽１７内への水の供給は停止させられる。
【００７４】
その後、第２設定時間ｔ２が経過するまでは(ステップS7)、上記と同様に、電磁弁６３の開弁作動および電動ポンプ６８の作動は停止させられる(ステップS8)。
【００７５】
ステップS2において、貯尿センサ６５が、貯尿タンク６２内の液位が予め定めた下限値より小であること、すなわち、貯尿タンク６２内に尿が一定量貯留されていないことを検出していると、タイマは計時をスタートし(ステップS14)、それとほぼ同時に、電動ポンプ６８が作動させられて(ステップS14)、貯水タンク４４内の水が、吸込管５１および送水管６７を通って、汚物処理槽１７内へ供給される。
【００７６】
その後は、上記ステップS12、S13と同様に、タイマが第１設定時間ｔ１を計時すると(ステップS12)、電動ポンプ６８の作動は停止させられ(ステップS13)、汚物処理槽１７内への水の供給が停止させられる。
【００７７】
本発明の第２の実施形態によると、水分センサ６６が、予め定めた設定含水率以下となったとき、貯水タンク４４内の水を、電動ポンプ６８等の給水手段により、汚物処理装置２内に供給するようにしてあるので、汚物処理装置２内の分解促進物質２６の含水率を一定に保つことができ、汚物を効率よく分解処理することができる。
【００７８】
また、貯尿センサ６２が貯尿を検出しており、かつ水分センサ６６が設定含水率以下となったことを検出したとき、汚物処理装置２内への貯水タンク４４内の水の供給に先だって、電磁弁６３を開いて、貯尿タンク６２内の尿を、電磁弁６３を介して汚物処理装置２内に供給するようにしてあるので、尿をも、水分として、汚物処理装置内における汚物の分解処理に有効に活用することができ、貯水タンクに貯留した水の使用を低減させることができる。
仮設トイレから外部に自然放出する水分量と、汚物処理装置に供給される屎尿の水分量とがバランスすると、原理的には、貯水タンクへの外部からの水の補給は不要となる。
【００７９】
本発明は、上記実施形態のみに限定されるものではなく、特許請求の範囲を逸脱することなく、例えば、次のような幾多の変形した態様での実施が可能である。
(Ａ)  足踏み式のポンプ５０に代えて、電動式のポンプを用い、これを図８に示す電動ポンプ６８と共用する。
(Ｂ)  貯水タンク４４を、トイレユニット７内、または補助室３８内に配設する。
(Ｃ)  水使用装置を、手洗い用の給水装置その他とする。手洗い用の給水装置とする場合は、その前段に殺菌装置や濾過装置を設けるのが好ましい。
(Ｄ)  貯水タンク４４に、雨水をも貯留するようにする。
(Ｅ)  除湿機の除湿能力を切り換え可能とし、汚物処理装置内の湿度または分解促進物質の含水率の程度に応じて、除湿機の除湿能力を切り換えるようにする。
【符号の説明】
【００８０】
１    仮設トイレ
２    汚物処理装置
３    床板
４    便器(水使用装置)
５    扉
６    外装体
７    トイレユニット
８    底板
８ａ  受孔
９    側板
１０    後面板
１１    筐体(ベース)
１２    仕切板
１３    ステップ
１４    前面板
１５    ボルト
１６    ローラーコンベヤ(ベース側ガイドレール)
１６ａ  枠材
１６ｂ  ローラ
１６ｃ  軸
１７    汚物処理槽
１８    底板
１９    側板
２０    前面板
２１    後面板
２２    外向鍔部
２３    回転軸
２３ａ  尖先部
２４    軸受装置
２５    攪拌翼
２６    分解促進物質
２７    ギヤードモータ（駆動手段）
２８    出力軸
２９    トーションダンパ
２９ａ  入力軸
２９ｂ  出力軸
２９ｃ  弾性体
３０    カップリング
３１    通孔
３２    ヒータ
３３    排気孔
３４    空気取入口
３５    補助底板
３６    ブラケット
３７    補助室カバー
３７ａ  切欠き
３８    補助室
３９    除湿機
４０    吸気口
４１    排水口
４２    排気口
４３    排水管
４４    貯水タンク
４４ａ  給水口
４４ｂ  注水口
４５    排気ダクト
４６    接続口
４７    送気ダクト
４８    可撓性ダクト
４９    再循環管
５０    ポンプ(給水手段)
５１    吸込管
５２    送水管
５３    本体
５４    ペダル
５５    汚物処理槽搬送車
５６    車輪
５７    台車
５８    ローラーコンベヤ
５９    高さ調整手段
６０    位置決め手段
６１    小便器
６２    貯尿タンク
６３    電磁弁
６４    給液管
６５    貯尿センサ
６６    水分センサ(水分検出手段)
６７    送水管
６８    電動ポンプ
６９    制御装置
【図１】
2012017624.tif 000003
【図２】
2012017624.tif 000004
【図３】
2012017624.tif 000005
【図４】
2012017624.tif 000006
【図５】
2012017624.tif 000007
【図６】
2012017624.tif 000008
【図７】
2012017624.tif 000009
【図８】
2012017624.tif 000010
【図９】
2012017624.tif 000011